(57)【要約】【課題】杭式桟橋を施工する際に、杭打ちまでに大掛かりで時間を要する作業を必要とすることなく、杭打ちの精度を向上させ、杭打ち後に杭の向きや高さを再調整する手間や時間を削減し、高所作業の危険性を低減することを可能とすること。【解決手段】桟橋構築工事の際に使用される桟橋構築用足場であって、桟橋完成部分から桟橋を延長すべき桟橋未完成部分に向けて延長するように片持ち状に張り出して使用され、前記桟橋完成部分に対して上方から係止可能な係止部と、前記係止部を前記桟橋完成部分に係止した時に、前記桟橋未完成部分に向けて延びる延長部と、を備えていることを特徴とする桟橋構築用足場である。【選択図】図１
2012162862.tif 000002
【特許請求の範囲】
【請求項１】
桟橋構築工事の際に使用される桟橋構築用足場であって、
桟橋完成部分から桟橋を延長すべき桟橋未完成部分に向けて延長するように片持ち状に張り出して使用され、
前記桟橋完成部分に対して上方から係止可能な係止部と、
前記係止部を前記桟橋完成部分に係止した時に、前記桟橋未完成部分に向けて延びる延長部と、
を備えていることを特徴とする桟橋構築用足場。
【請求項２】
前記係止部は、間隔をあけて形成された左右一対の係止部材からなり、
前記延長部は、前記左右一対の係止部材の夫々から互いに平行に延びる左右一対の延長部材からなるとともに、該左右一対の延長部材同士を連結する連結部材を備えていることを特徴とする請求項１記載の桟橋構築用足場。
【請求項３】
請求項１又は２記載の桟橋構築用足場を使用する桟橋構築方法であって、
桟橋完成部分に対して前記桟橋構築用足場の係止部を係止することにより、該桟橋構築用足場を前記桟橋完成部分から桟橋を延長すべき桟橋未完成部分に向けて延長するように片持ち状に張り出して設置する足場設置工程と、
設置された桟橋構築用足場の延長端部近傍において管状の杭を上下方向にガイドしながら地面に立設する杭立設工程と、
立設された杭の頭部を、前記桟橋構築用足場の延長部の上面と略同じ高さで切断する杭頭切断工程と、
前記切断された杭頭に、円筒の上部に平板が取り付けられた杭頭キャップを被せて固定する杭頭キャップ固定工程と、
前記杭頭キャップの平板上に横桁を固定する横桁固定工程と、
前記横桁の上部に主桁を固定して前記桟橋完成部分の主桁と連結する主桁固定工程と、
前記桟橋構築用足場を取り外す足場撤去工程と、
を備えていることを特徴とする桟橋構築方法。
【請求項４】
前記足場設置工程において、複数の前記桟橋構築用足場を前記桟橋完成部分の幅方向に並べて設置することを特徴とする請求項３記載の桟橋構築方法。
【請求項５】
前記杭立設工程が、
前記桟橋構築用足場の延長端部近傍の上部に、ロータリーテーブルマシンを設置するテーブルマシン設置工程と、
前記ロータリーテーブルマシンに掘削用ロッドを挿通し、該掘削用ロッドを利用して地面を削孔する削孔工程と、
前記削孔工程により形成された孔に、前記管状の杭を建て込む杭建込工程と、
からなることを特徴とする請求項３記載の桟橋構築方法。
【請求項６】
前記杭立設工程が、
前記桟橋構築用足場の延長端部近傍の上部に、杭回転防止機構を備えた回転防止導材を設置する導材設置工程と、
前記回転防止導材に、クレーンにより吊り下げられた油圧式掘進機にて上端部を保持された前記管状の杭を挿通し、前記油圧式掘進機により前記管状の杭を地面に打ち込む杭打設工程と、
からなることを特徴とする請求項３記載の桟橋構築方法。
【請求項７】
前記杭立設工程が、
前記桟橋構築用足場の延長端部近傍の上部に、導材を設置する導材設置工程と、
前記導材に、クレーンにより吊り下げられたバイブロハンマにて上端部を保持された前記管状の杭を挿通し、前記バイブロハンマにより前記管状の杭を地面に打ち込む杭打設工程と、
からなることを特徴とする請求項３記載の桟橋構築方法。
【発明の詳細な説明】
【技術分野】
【０００１】
本発明は、杭式桟橋の構築作業時に使用される桟橋構築用足場及びこの足場を使用する桟橋構築方法に関する。
【背景技術】
【０００２】
従来、山岳地等において杭式桟橋を施工する場合、既に完成している桟橋部分を足場として、未だ完成していない桟橋部分を支持する杭を先行打ちし、この杭と完成桟橋部分とに未完成部分の主桁をかけることにより桟橋を構築している（例えば、下記特許文献１参照）。
【０００３】
しかしながら、このような従来の施工方法では、桟橋完成部分だけを足場として次の杭を先行打ちするため、杭の打設位置を正確に調整するのが難しく、杭打ちの精度が悪い。そのため、例えば一旦杭打ちしてから、その杭の向きや高さを再調整しなければならない必要が生じ、手間や時間がかかるばかりでなく、危険な高所作業が必要になるという問題がある。
【０００４】
上記した問題点に鑑みて、本願出願人は下記特許文献２に記載の発明を提案している。
この発明は、桟橋完成部分から、杭頭固定用管が予め設置された延長すべき桟橋未完成部分の主桁を片持ち状に張り出し、当該桟橋未完成部分の主桁に沿うように当該桟橋未完成部分の主桁の張り出し先端部と桟橋完成部分との間にかけ渡された線材を、当該桟橋未完成部分の主桁とほぼ並行になるようにして張力調整することによって当該桟橋未完成部分の主桁を調整するとともに保持し、前記桟橋未完成部分の主桁に設置された杭頭固定用管を介して管状杭を杭打ちする杭式桟橋施工方法である。
【０００５】
この発明は、上記従来技術と比較して、桟橋未完成部分を支持する杭打ち精度を向上することができ、高所作業も低減することが可能である点において優れたものである。
しかしながら、この発明において使用される桟橋未完成部分の主桁は、桟橋の全幅と略同じ幅を有し、主桁としての高い剛性を必要とし、更に杭頭固定用管を備えているため、重量物となる。そのため、この主桁を片持ち状に張り出して精度良く確実に保持するためには大掛かり且つ慎重な作業を必要とし、杭打ちを行うまでに時間を要することとなり、作業効率の面では好ましくなかった。
【先行技術文献】
【特許文献】
【０００６】
【特許文献１】特許第４５６７０８０号公報
【特許文献２】特許第３０４３３２０号公報
【発明の概要】
【発明が解決しようとする課題】
【０００７】
本発明は、上記した従来の施工方法の問題点を解決すべくなされたものであって、杭式桟橋を施工する際に、杭打ちまでに大掛かりで時間を要する作業を必要とすることなく、杭打ちの精度を向上させ、杭打ち後に杭の向きや高さを再調整する手間や時間を削減し、高所作業の危険性を低減することが可能である、桟橋構築用足場及びこの足場を使用する桟橋構築方法を提供するものである。
【課題を解決するための手段】
【０００８】
請求項１に係る発明は、桟橋構築工事の際に使用される桟橋構築用足場であって、桟橋完成部分から桟橋を延長すべき桟橋未完成部分に向けて延長するように片持ち状に張り出して使用され、前記桟橋完成部分に対して上方から係止可能な係止部と、前記係止部を前記桟橋完成部分に係止した時に、前記桟橋未完成部分に向けて延びる延長部と、を備えていることを特徴とする桟橋構築用足場に関する。
【０００９】
請求項２に係る発明は、前記係止部は、間隔をあけて形成された左右一対の係止部材からなり、前記延長部は、前記左右一対の係止部材の夫々から互いに平行に延びる左右一対の延長部材からなるとともに、該左右一対の延長部材同士を連結する連結部材を備えていることを特徴とする請求項１記載の桟橋構築用足場に関する。
【００１０】
請求項３に係る発明は、請求項１又は２記載の桟橋構築用足場を使用する桟橋構築方法であって、桟橋完成部分に対して前記桟橋構築用足場の係止部を係止することにより、該桟橋構築用足場を前記桟橋完成部分から桟橋を延長すべき桟橋未完成部分に向けて延長するように片持ち状に張り出して設置する足場設置工程と、設置された桟橋構築用足場の延長端部近傍において管状の杭を上下方向にガイドしながら地面に立設する杭立設工程と、立設された杭の頭部を、前記桟橋構築用足場の延長部の上面と略同じ高さで切断する杭頭切断工程と、前記切断された杭頭に、円筒の上部に平板が取り付けられた杭頭キャップを被せて固定する杭頭キャップ固定工程と、前記杭頭キャップの平板上に横桁を固定する横桁固定工程と、前記横桁の上部に主桁を固定して前記桟橋完成部分の主桁と連結する主桁固定工程と、前記桟橋構築用足場を取り外す足場撤去工程と、を備えていることを特徴とする桟橋構築方法に関する。
【００１１】
請求項４に係る発明は、前記足場設置工程において、複数の前記桟橋構築用足場を桟橋完成部分の幅方向に並べて設置することを特徴とする請求項３記載の桟橋構築方法に関する。
【００１２】
請求項５に係る発明は、前記杭立設工程が、前記桟橋構築用足場の延長端部近傍の上部に、ロータリーテーブルマシンを設置するテーブルマシン設置工程と、前記ロータリーテーブルマシンに掘削用ロッドを挿通し、該掘削用ロッドを利用して地面を削孔する削孔工程と、前記削孔工程により形成された孔に、前記管状の杭を建て込む杭建込工程と、からなることを特徴とする請求項３記載の桟橋構築方法に関する。
【００１３】
請求項６に係る発明は、前記杭立設工程が、前記桟橋構築用足場の延長端部近傍の上部に、杭回転防止機構を備えた回転防止導材を設置する導材設置工程と、前記回転防止導材に、クレーンにより吊り下げられた油圧式掘進機にて上端部を保持された前記管状の杭を挿通し、前記油圧式掘進機により前記管状の杭を地面に打ち込む杭打設工程と、からなることを特徴とする請求項３記載の桟橋構築方法に関する。
【００１４】
請求項７に係る発明は、前記杭立設工程が、前記桟橋構築用足場の延長端部近傍の上部に、導材を設置する導材設置工程と、前記導材に、クレーンにより吊り下げられたバイブロハンマにて上端部を保持された前記管状の杭を挿通し、前記バイブロハンマにより前記管状の杭を地面に打ち込む杭打設工程と、からなることを特徴とする請求項３記載の桟橋構築方法に関する。
【発明の効果】
【００１５】
請求項１に係る発明によれば、桟橋完成部分から桟橋を延長すべき桟橋未完成部分に向けて延長するように片持ち状に張り出して使用されるため、桟橋未完成部分において杭を打設する際の足場として使用することができるとともに、延長部を地面に杭を打設する際の導材として使用することができることから、杭打ちの精度を向上させることが可能となり、杭打ち後に杭の向きや高さを再調整する手間や時間を削減することができる。また、高所作業の危険性を低減することも可能となる。
更に、前記桟橋完成部分に対して上方から係止可能な係止部を備えているため、桟橋構築用足場を、クレーンにより吊り下げて下降させることにより係止部を桟橋完成部分に対して係止させることができるとともに、クレーンにより吊り上げて上昇させることにより係止を解除することができる。そのため、桟橋構築用足場の設置及び撤去を大掛かりな作業を必要とせずに容易に且つ迅速に行うことが可能となり、作業効率を大きく向上させることができる。
また、撤去した桟橋構築用足場は、同じ現場で桟橋延長のための工程で繰り返し使用できるだけでなく別の現場でも再利用することができるため、施工コストを削減することも可能となる。
【００１６】
請求項２に係る発明によれば、前記係止部は、間隔をあけて形成された左右一対の係止部材からなり、前記延長部は、前記左右一対の係止部材の夫々から互いに平行に延びる左右一対の延長部材からなるとともに、該左右一対の延長部材同士を連結する連結部材を備えていることから、桟橋構築用足場を軽量且つ高剛性に形成することが可能であるとともに、桟橋完成部分に対して確実に固定することができる。また、連結部材が、地面に杭を打設する際の導材として作用させることが可能であることから、杭打ちの精度を向上させることができる。
【００１７】
請求項３に係る発明によれば、桟橋構築用足場を桟橋完成部分から桟橋を延長すべき桟橋未完成部分に向けて延長するように片持ち状に張り出して設置し、設置された桟橋構築用足場の延長端部近傍において管状の杭を上下方向にガイドしながら地面に立設することから、杭打ちまでに大掛かりで時間を要する作業を必要とすることなく、杭打ちの精度を向上させることが可能となり、杭打ち後に杭の向きや高さを再調整する手間や時間を削減することができる。また、高所作業の危険性を低減することも可能となる。
更に、立設された杭の頭部を桟橋構築用足場の延長部の上面と略同じ高さで切断し、切断された杭頭に円筒の上部に平板が取り付けられた杭頭キャップを被せて固定し、杭頭キャップの平板上に横桁を固定し、横桁の上部に主桁を固定して桟橋完成部分の主桁と連結することから、桟橋構築用足場を利用して各作業を安全に効率良く行うことができ、主桁及び横桁を精度良く確実に固定することが可能となる。
【００１８】
請求項４に係る発明によれば、足場設置工程において、複数の桟橋構築用足場を桟橋完成部分の幅方向に並べて設置することから、１つの桟橋構築用足場の重量を減らすことができる。そのため、桟橋構築用足場の設置を大掛かりな作業を必要とせずに容易に作業性良く実施することができ、作業効率を向上させることが可能となる。
【００１９】
請求項５に係る発明によれば、桟橋構築用足場の延長端部近傍の上部にロータリーテーブルマシンを設置し、ロータリーテーブルマシンに掘削用ロッドを挿通し、該掘削用ロッドを利用して地面を削孔し、形成された孔に管状の杭を建て込むことにより杭を立設することから、杭打ちを精度良く行うことが可能となり、杭打ち後に杭の向きや高さを再調整する手間や時間を削減することができる。
【００２０】
請求項６に係る発明によれば、桟橋構築用足場の延長端部近傍の上部に杭回転防止機構を備えた回転防止導材を設置し、回転防止導材にクレーンにより吊り下げられた油圧式掘進機にて上端部を保持された管状の杭を挿通し、油圧式掘進機により管状の杭を地面に打ち込むことにより杭を立設することから、杭打ちを精度良く行うことが可能となり、杭打ち後に杭の向きや高さを再調整する手間や時間を削減することができる。
【００２１】
請求項７に係る発明によれば、桟橋構築用足場の延長端部近傍の上部に導材を設置し、導材にクレーンにより吊り下げられたバイブロハンマにて上端部を保持された管状の杭を挿通し、バイブロハンマにより管状の杭を地面に打ち込むことにより杭を立設することから、杭打ちを精度良く行うことが可能となり、杭打ち後に杭の向きや高さを再調整する手間や時間を削減することができる。
【図面の簡単な説明】
【００２２】
【図１】本発明に係る桟橋構築用足場の一例を示す斜視図である。
【図２】本発明に係る桟橋構築方法の一工程（足場設置工程）を示す図である。
【図３】本発明に係る桟橋構築方法の一工程（杭立設工程の第１の方法における削孔工程）を示す図である。
【図４】本発明に係る桟橋構築方法の一工程（杭立設工程の第１の方法における杭建込工程）を示す図である。
【図５】本発明に係る桟橋構築方法の一工程（杭立設工程の第２の方法における杭打設工程）を示す図である。
【図６】本発明に係る桟橋構築方法の一工程（杭立設工程の第３の方法における杭打設工程）を示す図である。
【図７】本発明に係る桟橋構築方法の一工程（杭頭切断工程）を示す図である。
【図８】本発明に係る桟橋構築方法の一工程（杭頭キャップ固定工程）を示す図である。
【図９】本発明に係る桟橋構築方法の一工程（横桁固定工程）を示す図である。
【図１０】本発明に係る桟橋構築方法の一工程（主桁固定工程）を示す図である。
【図１１】本発明に係る桟橋構築方法の一工程（足場撤去工程）を示す図である。
【発明を実施するための形態】
【００２３】
以下、本発明に係る桟橋構築用足場及び桟橋構築方法の好適な実施形態について、図面を参照しながら説明する。
図１は、本発明に係る桟橋構築用足場の一例を示す斜視図である。
本発明に係る桟橋構築用足場（１）は、桟橋構築工事の際に使用される足場であって、後述するように、桟橋完成部分から桟橋を延長すべき桟橋未完成部分に向けて延長するように片持ち状に張り出して使用される。（図２〜図１１参照）
【００２４】
桟橋構築用足場（１）は、桟橋完成部分に対して上方から係止可能な係止部（２）と、係止部（２）を桟橋完成部分に対して係止した時に上記桟橋を延長すべき方向（以下、延長方向と略）に向けて略水平方向に延びるように設置される延長部（３）とを備えている。
桟橋構築用足場（１）は、例えば鋼材から形成される。
【００２５】
係止部（２）は、所定間隔をあけて形成された左右一対の係止部材（２ａ）（２ｂ）からなる。左右一対の係止部材（２ａ）（２ｂ）の間隔は、例えば１５００ｍｍに設定することができるが、これに限定されるものではない。設置する桟橋構築用足場（１）の数は、桟橋完成部分の幅方向の橋脚の数に応じて設定することができる。基本的には、橋脚数をＮとしたとき、桟橋構築用足場（１）の数はＮ−１に設定される。つまり、桟橋構築用足場（１）は橋脚数が２つ（１組）の場合には１つ設置され、橋脚数が３つ（２組）の場合には桟橋幅方向に２つ並べて設置される。
各係止部材（２ａ）（２ｂ）は、互いに平行に上下方向に延びる、長さが異なる２本の縦材と、これら２本の縦材の上端部同士を連結する横材とからなる。２本の縦材と横材で囲まれる空間（５）に桟橋完成部分の横桁が嵌まることにより、桟橋完成部分に対して係止部（２）が係止される。
【００２６】
延長部（３）は、左右一対の係止部材（２ａ）（２ｂ）の夫々から互いに平行に延びる左右一対の延長部材（３ａ）（３ｂ）からなる。より具体的には、延長部（３）の一端部は、係止部材（２ａ）（２ｂ）の長い方の縦材（２ｃ）の下方寄り位置に、該縦材に対して直角方向に延びるように連結されている。
延長部材（３ａ）（３ｂ）は、上材と、下材と、上材と下材とを繋ぐ繋ぎ材とからなるトラス構造を有している。これにより、軽量でありながら高強度を実現している。
延長部材（３ａ）（３ｂ）の上材の上面には、リング状の掛止部（６）が設けられている。掛止部（６）には、桟橋構築用足場（１）と桟橋完成部分とを繋ぐチェーンブロックの一端が掛止される。これにより、桟橋構築用足場（１）が前下がりに傾斜する（先端が下がる）ことを防ぐことができる。
【００２７】
左右一対の延長部材（３ａ）（３ｂ）は、連結部材（４）により連結されている。
連結部材（４）は、延長部材（３ａ）（３ｂ）に対して直角方向に延び、且つ前記延長方向に間隔をあけて互いに平行に配置された複数本の部材からなる。連結部材（４）は、延長部材（３ａ）（３ｂ）の上材同士を連結する上部連結部材と、下材同士を連結する下部連結部材とからなる。これら上部連結部材と下部連結部材は、上下方向に並んで配置されているため、杭を上下方向にガイドする導材として機能することができる。
【００２８】
次に、本発明に係る桟橋構築方法について、図２〜図１１を参照しながら説明する。
＜１．足場設置工程＞
先ず、桟橋完成部分（Ａ）に対して桟橋構築用足場（１）の係止部（２）を係止することにより、桟橋構築用足場（１）を桟橋完成部分（Ａ）から桟橋を延長すべき桟橋未完成部分（Ｂ）に向けて延長するように片持ち状に張り出して設置する。（図２参照）
具体的には、桟橋完成部分（Ａ）に配置したクレーン（７）により桟橋構築用足場（１）を吊り上げた後、係止部材（２ａ）（２ｂ）の空間（５）（図１参照）に桟橋完成部分の横桁が嵌まるまで桟橋構築用足場（１）を下降させることにより、桟橋完成部分（Ａ）に対して桟橋構築用足場（１）の係止部（２）を係止する。続いて、チェーンブロック（８）の一端を桟橋構築用足場（１）の掛止部（６）に掛止し、他端を桟橋完成部分（Ａ）に掛止することにより、チェーンブロック（８）にて桟橋完成部分（Ａ）と桟橋構築用足場（１）を連結する。
設置する桟橋構築用足場（１）の数は、１つでも複数でもよく、桟橋完成部分（Ａ）の幅（換言すれば構築される桟橋の幅）に応じて適宜設定される。例えば、桟橋構築用足場（１）の幅を桟橋完成部分の幅と略同じとした場合には１つでよく、桟橋構築用足場（１）の幅を桟橋完成部分の幅の約半分とした場合には２つ並べて使用する。図２では２つの桟橋構築用足場（１）を桟橋の幅方向（紙面垂直方向）に並べて設置している様子が示されている。
【００２９】
＜２．杭立設工程＞
足場設置工程により設置された桟橋構築用足場（１）の延長端部近傍において、管状の杭（鋼管杭等）を上下方向にガイドしながら地面に立設する。
この杭立設工程は、１種類の方法には限定されず、施工現場の状況に応じて複数種類の方法を使い分けることが可能である。以下、代表的な方法を３つ例示する。
【００３０】
＜２−１．第１の方法＞
第１の方法では、杭立設工程が、テーブルマシン設置工程と削孔工程と杭建込工程からなる。
テーブルマシン設置工程では、桟橋構築用足場（１）の延長端部近傍の上部に、ロータリーテーブルマシン（９）を設置する。
削孔工程では、図３に示すように、設置されたロータリーテーブルマシン（９）に掘削用ロッド（１０）を挿通し、掘削用ロッド（１０）を利用して地面を削孔する。具体的には、ビッドとエアハンマを備えた公知のダウンザホールハンマ用の掘削用ロッド（１０）をロータリーテーブルマシン（９）に挿通し、掘削用ロッド（１０）の回転によるビッドの回転とエアハンマによる打撃を利用して地面を掘削する。
杭建込工程では、図４に示すように、鋼管杭等の管状の杭（１１）をクレーンにより吊り下げて、削孔工程により形成された穴に建て込む。このとき、桟橋構築用足場（１）が管状の杭（１１）を上下方向にガイドする導材の役割を果たす。
【００３１】
＜２−２．第２の方法＞
第２の方法では、杭立設工程が、導材設置工程と杭打設工程からなる。
導材設置工程では、桟橋構築用足場（１）の延長端部近傍の上部に、杭回転防止機構を備えた回転防止導材（１２）を設置する。回転防止導材（１２）は、図５において矢印で右下に引き出された拡大平面図に示すように、鋼管杭等の管状の杭（１１）が挿通される円形の穴の周囲に沿って３つの回転防止ローラ（１３）を備えている。回転防止ローラ（１３）は、杭（１１）を前記穴に挿通した時に杭の外周に沿って密接する鼓形状のローラである。これにより、回転防止ローラ（１３）は、杭（１１）を前記穴に挿通した時に水平軸回りに回転して杭（１１）を上下方向にガイドするとともに、杭（１１）自体の回転を防止することができる。
杭打設工程では、図５に示すように、回転防止導材（１２）に、クレーンにより吊り下げられた油圧式掘進機（吊オーガー）（１４）にて上端部を保持された杭（１１）を挿通し、油圧式掘進機（１４）により杭（１１）を地面に打ち込む。
【００３２】
＜２−３．第３の方法＞
第３の方法では、杭立設工程が、導材設置工程と杭打設工程からなる。
導材設置工程では、桟橋構築用足場（１）の延長端部近傍の上部に、杭（１１）を上下方向にガイドする導材（１５）を設置する。
杭打設工程では、図６に示すように、導材（１５）に、クレーンにより吊り下げられたバイブロハンマ（バイブロフォンサ）（１６）にて上端部を保持された杭（１１）を挿通し、バイブロハンマ（１６）により杭（１１）を地面に打ち込む。
【００３３】
上記第１〜第３の方法により立設された杭（１１）は、根入れ部にモルタルを充填することにより地面に固定する。
【００３４】
＜３．杭頭切断工程＞
杭立設工程により立設された杭（１１）の頭部（１１ａ）を、桟橋構築用足場（１）の延長部（３）の上面と略同じ高さで切断して撤去する。（図７参照）
【００３５】
＜４．杭頭キャップ固定工程＞
桟橋構築用足場（１）の延長部（３）の上面に沿って手摺（１７）を取り付け、杭頭切断工程により切断された杭（１１）の頭部に、杭頭キャップ（１８）を被せて固定する。（図８参照）
杭頭キャップ（１８）は、図８において矢印で右下に引き出された拡大正面図に示すように、円筒（１８ａ）の上部に平板（１８ｂ）が取り付けられた構造を有している。円筒（１８ａ）の周方向に沿って設けられた複数のボルト穴にボルト（２１）を螺合し、ボルトの先端で杭（１１）の外周面を押さえることにより、杭頭に杭頭キャップ（１８）を固定する。
【００３６】
＜５．横桁固定工程＞
杭頭キャップ固定工程により杭頭に固定された杭頭キャップ（１８）の平板（１８ｂ）上に横桁（１９）をボルト等により固定する。（図９参照）  横桁（１９）は、図９において矢印で右下に引き出された拡大平面図に示すように例えばＨ形鋼からなり、長さ方向が上記延長方向と直角方向（桟橋幅方向）となるように固定する。
【００３７】
＜６．主桁固定工程＞
横桁固定工程により固定された横桁（１９）の上部に、Ｈ形鋼等からなる主桁（２０）をボルト等により固定する。主桁（２０）は、長さ方向が上記延長方向となるように固定し、主桁（２０）の端部を桟橋完成部分（Ａ）の主桁（Ａ１）と連結する。（図１０参照）
【００３８】
＜７．足場撤去工程＞
桟橋構築用足場（１）をクレーンにより吊り上げて撤去し、覆工板（２１）を設置する。（図１１参照）  撤去した桟橋構築用足場（１）は、桟橋を更に延長する際に再度使用する。
【００３９】
＜８．梁連結工程＞
上記工程により立設された杭（１１）と桟橋完成部分（Ａ）の杭（Ａ２）を、桟橋完成部分（Ａ）と同様に梁（図示略）により連結することにより、桟橋完成部分が延長された状態となる。
【００４０】
その後、延長された桟橋完成部分に対して、上記した足場設置工程から梁連結工程を繰り返すことにより、所要長さの桟橋を構築することができる。
【産業上の利用可能性】
【００４１】
本発明に係る桟橋構築用足場及び桟橋構築方法は、山岳地等の精度良く杭打ちを行うことが困難な現場において杭式桟橋を施工するために好適に利用される。
【符号の説明】
【００４２】
１      桟橋構築用足場
２      係止部
２ａ    係止部材
２ｂ    係止部材
３      延長部
４      連結部材
９      ロータリーテーブルマシン
１０    掘削用ロッド
１１    杭
１２    回転防止導材
１４    油圧式掘進機（吊オーガー）
１５    導材
１６    バイブロハンマ
１８    杭頭キャップ
１８ａ  円筒
１８ｂ  平板
１９    横桁
２０    主桁
Ａ      桟橋完成部分
【図１】
2012162862.tif 000003
【図２】
2012162862.tif 000004
【図３】
2012162862.tif 000005
【図４】
2012162862.tif 000006
【図５】
2012162862.tif 000007
【図６】
2012162862.tif 000008
【図７】
2012162862.tif 000009
【図８】
2012162862.tif 000010
【図９】
2012162862.tif 000011
【図１０】
2012162862.tif 000012
【図１１】
2012162862.tif 000013